(57)【要約】【課題】ポンプ駆動用のモータの大型化を抑制することができる車両用ブレーキ液圧制御装置を提供する。【解決手段】車両用ブレーキ液圧制御装置Ｕは、マスタシリンダＭＣと、マスタシリンダＭＣから車輪ブレーキＢＫに至る液圧路とを備える。また、車両用ブレーキ液圧制御装置Ｕは、ブレーキ液圧を増圧、減圧または保持する制御を行う制御弁手段Ｖと、ブレーキ液を一時的に貯留するリザーバ５とを備える。また、車両用ブレーキ液圧制御装置Ｕは、マスタシリンダＭＣと制御弁手段Ｖとの間を連通または遮断するとともに、制御弁手段Ｖ側のブレーキ液圧を調整する調圧弁１を備える。また、車両用ブレーキ液圧制御装置Ｕは、調圧弁１に対して並列に接続されており、マスタシリンダＭＣからのブレーキ液を車輪ブレーキＢＫ側へ吐出する増圧専用のポンプ７を備える。そして、増圧専用のポンプ７の吸入側に、マスタシリンダＭＣに連通する液路が直接接続されている。【選択図】図１
2019011013.tif 000002
【特許請求の範囲】
【請求項１】
車輪ブレーキに作用するブレーキ液圧を制御する車両用ブレーキ液圧制御装置であって、
ブレーキ操作子の操作に応じてブレーキ液圧を発生するマスタシリンダと、
前記マスタシリンダから前記車輪ブレーキに至る液圧路と、
前記液圧路に設けられ、前記車輪ブレーキにかかるブレーキ液圧を増圧、減圧または保持する制御を行う制御弁手段と、
前記車輪ブレーキのブレーキ液を一時的に貯留するリザーバと、
前記マスタシリンダと前記制御弁手段との間を連通または遮断するとともに、前記制御弁手段側のブレーキ液圧を調整する調圧弁と、
前記調圧弁に対して並列に接続されており、前記マスタシリンダからのブレーキ液を前記車輪ブレーキ側へ吐出する増圧専用のポンプと、を備え、
前記増圧専用のポンプの吸入側に、前記マスタシリンダに連通する液路が直接接続されていることを特徴とする車両用ブレーキ液圧制御装置。
【請求項２】
前記リザーバのブレーキ液を前記マスタシリンダ側に戻すことが可能な減圧兼増圧用のポンプを備え、
前記減圧兼増圧用のポンプの吐出側に接続する液路が、前記調圧弁と前記制御弁手段との間の前記液圧路に接続されていることを特徴とする請求項１に記載の車両用ブレーキ液圧制御装置。
【請求項３】
前記マスタシリンダと前記減圧兼増圧用のポンプとを接続する液路に設けられた常閉型のサクションバルブを備え、
前記減圧兼増圧用のポンプと前記リザーバとの間の液路に、前記リザーバから前記減圧兼増圧用のポンプへのブレーキ液の流入を許容する一方向弁が設けられており、
前記サクションバルブの出口は、前記減圧兼増圧用のポンプの吸入側と前記一方向弁との間に接続されていることを特徴とする請求項２に記載の車両用ブレーキ液圧制御装置。
【請求項４】
前記増圧専用のポンプの吐出量は、前記減圧兼増圧用のポンプの吐出量よりも大きいことを特徴とする請求項２または請求項３に記載の車両用ブレーキ液圧制御装置。
【請求項５】
前記増圧専用のポンプと前記減圧兼増圧用のポンプとが、共通のモータによって駆動されることを特徴とする請求項２から請求項４のいずれか一項に記載の車両用ブレーキ液圧制御装置。
【請求項６】
バーハンドルタイプの車両における前輪側および後輪側のいずれか一方または双方のブレーキ系統に個々に設けられていることを特徴とする請求項１から請求項５のいずれか一項に記載の車両用ブレーキ液圧制御装置。
【発明の詳細な説明】
【技術分野】
【０００１】
本発明は、車両用ブレーキ液圧制御装置に関する。
【背景技術】
【０００２】
自動二輪車、自動三輪車等のバーハンドルタイプの車両に用いられる車両用ブレーキ液圧制御装置が知られている（例えば、特許文献１参照）。
【０００３】
特許文献１に記載の車両用ブレーキ液圧制御装置は、ブレーキ液圧を増圧または減圧するための第１液圧ポンプおよび第２液圧ポンプと、第１液圧ポンプと第２液圧ポンプとを駆動する単一のモータとを備えている。
【０００４】
この車両用ブレーキ液圧制御装置では、各車輪ブレーキに対するアンチロックブレーキ制御に加えて、例えば前後輪の車輪ブレーキを連動させる連動ブレーキ制御等に利用される加圧制御が可能となっている。
【先行技術文献】
【特許文献】
【０００５】
【特許文献１】特許第５９７９７５１号公報
【発明の概要】
【発明が解決しようとする課題】
【０００６】
特許文献１に記載の車両用ブレーキ液圧制御装置では、２つのポンプが、１つのモータで駆動されるとともに、ブレーキ液圧の減圧および増圧のいずれにも使用される。このため、１つのモータで、減圧用のポンプに要求される特性と増圧用のポンプに要求される特性との双方を満足しなければならず、モータが大型化してしまう。
【０００７】
本発明は、前記した事情に鑑みてなされたものであり、ポンプ駆動用のモータの大型化を抑制することができる車両用ブレーキ液圧制御装置を提供することを課題とする。
【課題を解決するための手段】
【０００８】
前記課題を解決するための本発明は、車輪ブレーキに作用するブレーキ液圧を制御する車両用ブレーキ液圧制御装置である。前記車両用ブレーキ液圧制御装置は、ブレーキ操作子の操作に応じてブレーキ液圧を発生するマスタシリンダと、前記マスタシリンダから前記車輪ブレーキに至る液圧路と、を備える。また、前記車両用ブレーキ液圧制御装置は、前記車輪ブレーキにかかるブレーキ液圧を増圧、減圧または保持する制御を行う制御弁手段と、前記車輪ブレーキのブレーキ液を一時的に貯留するリザーバと、を備える。前記制御弁手段は、前記液圧路に設けられている。また、前記車両用ブレーキ液圧制御装置は、前記マスタシリンダと前記制御弁手段との間を連通または遮断するとともに、前記制御弁手段側のブレーキ液圧を調整する調圧弁を備える。また、前記車両用ブレーキ液圧制御装置は、前記調圧弁に対して並列に接続されており、前記マスタシリンダからのブレーキ液を前記車輪ブレーキ側へ吐出する増圧専用のポンプを備える。そして、前記増圧専用のポンプの吸入側に、前記マスタシリンダに連通する液路が直接接続されている。
【０００９】
この構成では、増圧専用のポンプは、車輪ブレーキに作用するブレーキ液圧の減圧制御（リザーバからブレーキ液を汲み上げる制御；以下、単に「減圧制御」ともいう）時におけるポンプ要求特性を考慮する必要がない。したがって、増圧専用のポンプは、車輪ブレーキに作用するブレーキ液圧の加圧制御（以下、単に「加圧制御」ともいう）時におけるポンプ要求特性を満足するだけでよい。このため、ポンプ駆動用のモータを必要以上に大型化せずとも対応することができる。
また、増圧専用のポンプの吸入側には、マスタシリンダに連通する液路が直接接続されていて、専用のサクションバルブが設けられていないので、サクションバルブのオリフィス等による吸入抵抗は生じない。これにより、車輪ブレーキに作用するブレーキ液圧の昇圧性能が向上する。
【００１０】
前記車両用ブレーキ液圧制御装置においては、前記リザーバのブレーキ液を前記マスタシリンダ側に戻すことが可能な減圧兼増圧用のポンプを備えることが好ましい。この場合、前記減圧兼増圧用のポンプの吐出側に接続する液路が、前記調圧弁と前記制御弁手段との間の前記液圧路に接続されている。
【００１１】
この構成では、増圧専用のポンプに加えて、減圧兼増圧用のポンプをも加圧制御に活用することができる。これにより、加圧制御時における吐出量の増大を図ることができる。
【００１２】
前記車両用ブレーキ液圧制御装置においては、前記マスタシリンダと前記減圧兼増圧用のポンプとを接続する液路に、常閉型のサクションバルブを設けることが好ましい。この場合、前記減圧兼増圧用のポンプと前記リザーバとの間の液路には、前記リザーバから前記減圧兼増圧用のポンプへのブレーキ液の流入を許容する一方向弁を設けることが好ましい。ここで、前記サクションバルブの出口は、前記減圧兼増圧用のポンプの吸入側と前記一方向弁との間に接続されている。
【００１３】
この構成では、加圧制御時にブレーキ操作子への入力がある場合でも、一方向弁によってリザーバへのマスタシリンダからのブレーキ液の流入を遮断しつつ、マスタシリンダおよびリザーバから減圧兼増圧用のポンプによって車輪ブレーキ側に供給することが可能となる。
【００１４】
前記車両用ブレーキ液圧制御装置において、前記増圧専用のポンプの吐出量は、前記減圧兼増圧用のポンプの吐出量よりも大きいことが好ましい。
【００１５】
増圧専用のポンプと減圧兼増圧用のポンプの特性を異ならせると、ブレーキ液圧制御に自由度を持たせることができる。
【００１６】
前記車両用ブレーキ液圧制御装置において、前記増圧専用のポンプと前記減圧兼増圧用のポンプとが、共通のモータによって駆動されることが好ましい。
【００１７】
駆動用のモータを共通化すると、装置全体をコンパクト化することができる。
なお、減圧制御時には、調圧弁を開弁することで、増圧専用のポンプの吐出側から送出されるブレーキ液は、調圧弁を経由して増圧専用のポンプの吸入側に還流するだけであり、減圧制御に影響しない。
【００１８】
前記車両用ブレーキ液圧制御装置は、バーハンドルタイプの車両における前輪側および後輪側のいずれか一方または双方のブレーキ系統に個々に設けられていることが好ましい。
【００１９】
この構成では、車両用ブレーキ液圧制御装置を、バーハンドルタイプの車両の例えば前後輪の車輪ブレーキを連動させる連動ブレーキ制御等における加圧制御に用いることができる。
【発明の効果】
【００２０】
本発明によれば、ポンプ駆動用のモータの大型化を抑制することができる車両用ブレーキ液圧制御装置を提供できる。
【図面の簡単な説明】
【００２１】
【図１】本発明の一実施形態に係る車両用ブレーキ液圧制御装置を示すブレーキ液圧回路図である。
【図２】アンチロックブレーキ制御時において車輪ブレーキに作用するブレーキ液圧を減圧する場合を示すブレーキ液圧回路図である。
【図３】加圧制御時において車輪ブレーキに作用するブレーキ液圧を加圧する場合を示すブレーキ液圧回路図である。
【発明を実施するための形態】
【００２２】
本発明の実施形態について、適宜図面を参照しながら詳細に説明する。
以下に示す図面において、同一の部材には同一の参照符号を付し、重複した説明を適宜省略する。
【００２３】
なお、以下においては、車両用ブレーキ液圧制御装置Ｕをバーハンドルタイプの車両としての自動二輪車に適用した例について説明する。このような車両用ブレーキ液圧制御装置Ｕは、通常、前輪ブレーキおよび後輪ブレーキの二系統から構成される。各系統は同一の構成からなるので、以下においては主として前輪ブレーキに係る系統について説明し、適宜後輪ブレーキに係る系統について説明する。
【００２４】
図１は、本発明の一実施形態に係る車両用ブレーキ液圧制御装置Ｕを示すブレーキ液圧回路図である。
図１に示すように、車両用ブレーキ液圧制御装置Ｕは、ブレーキ系統Ｋを備えており、車輪ブレーキＢＫに作用するブレーキ液圧を制御するものである。車輪ブレーキＢＫに付与する制動力は、制御装置１０によって適宜制御される。例えば、通常のブレーキ制御に加えて、車輪ブレーキＢＫのアンチロックブレーキ制御や、車輪ブレーキＢＫの液圧を加圧させる加圧制御等の実行が可能となっている。なお、加圧制御として具体的には、自動ブレーキ制御、車輪ブレーキＢＫの液圧をマスタシリンダＭＣからの液圧以上に昇圧させるブレーキアシスト制御、前後輪の車輪ブレーキを連動させる連動ブレーキ制御、坂道等で車両を一時的に保持するブレーキ保持制御（ヒルホールド制御）、転倒抑制制御等のブレーキ制御が挙げられる。
【００２５】
ブレーキ系統Ｋは、入口ポートＪ１から出口ポートＪ２に至る系統である。なお、入口ポートＪ１には、液圧源であるマスタシリンダＭＣに至る配管Ｈ１が接続されており、出口ポートＪ２には、車輪ブレーキＢＫに至る配管Ｈ２が接続されている。
【００２６】
マスタシリンダＭＣは、ブレーキ液を貯蔵するブレーキ液タンク室が接続されたシリンダ（図示せず）を有している。このシリンダ内にはブレーキ操作子Ｌの操作によりシリンダの軸方向へ摺動してブレーキ液を流出するマスタピストン（図示せず）が組み付けられている。マスタシリンダＭＣは、ブレーキ操作子Ｌの操作に応じてブレーキ液圧を発生する。
【００２７】
ブレーキ系統Ｋは、調圧弁１、制御弁手段Ｖ、サクションバルブ４、リザーバ５、減圧兼増圧用のポンプ６、および増圧専用のポンプ７を備える。
【００２８】
なお、以下の説明では、入口ポートＪ１から調圧弁１に至る液圧路を「出力液圧路Ａ」と称し、調圧弁１から車輪ブレーキＢＫに至る液圧路を「車輪液圧路Ｂ」と称する。出力液圧路Ａおよび車輪液圧路Ｂは、マスタシリンダＭＣから車輪ブレーキＢＫに至る液圧路を構成している。また、出力液圧路Ａから分岐し減圧兼増圧用のポンプ６に至る液圧路を「吸入路Ｃ」と称し、減圧兼増圧用のポンプ６から車輪液圧路Ｂに至る液圧路を「吐出路Ｄ」と称する。また、車輪液圧路Ｂから吸入路Ｃに至る液圧路を「開放路Ｅ」と称する。また、出力液圧路Ａから分岐し増圧専用のポンプ７に至る液圧路を「吸入路Ｆ」と称し、増圧専用のポンプ７から車輪液圧路Ｂに至る液圧路を「吐出路Ｇ」と称する。また、「上流側」とは、マスタシリンダＭＣ側のことを意味し、「下流側」とは、車輪ブレーキＢＫ側のことを意味する。
【００２９】
調圧弁１は、マスタシリンダＭＣと制御弁手段Ｖとの間を連通または遮断するとともに、制御弁手段Ｖ側のブレーキ液圧を調整するものである。
【００３０】
調圧弁１は、出力液圧路Ａと車輪液圧路Ｂとの間に介設された常開型の電磁弁であり、その弁体を駆動させるための図示しない電磁コイルが制御装置１０と電気的に接続されており、制御装置１０からの指令に基づいて、電磁コイルが励磁されると閉弁し、電磁コイルが消磁されると開弁する。チェック弁１ａは、その上流側から下流側へのブレーキ液の流入のみを許容する一方向弁であり、調圧弁１と並列に接続されている。また、調圧弁１は、調圧弁１を駆動させるための電磁コイルに与える電流値を制御することで開弁圧が制御される。すなわち、調圧弁１は、車輪液圧路Ｂのブレーキ液圧から出力液圧路Ａのブレーキ液圧を差し引いたときの値が設定値以上になると開弁する。
【００３１】
制御弁手段Ｖは、車輪液圧路Ｂに設けられており、車輪ブレーキＢＫにかかるブレーキ液圧を増圧、減圧または保持する制御を行う。すなわち、制御弁手段Ｖは、車輪液圧路Ｂを開放しつつ開放路Ｅを遮断する状態、車輪液圧路Ｂを遮断しつつ開放路Ｅを開放する状態、および車輪液圧路Ｂと開放路Ｅとを遮断する状態を切り換える機能を有している。制御弁手段Ｖは、入口弁２、チェック弁２ａおよび出口弁３を備えて構成されている。
【００３２】
入口弁２は、車輪液圧路Ｂに設けられた常開型の電磁弁であり、開弁状態にあるときに上流側から下流側へのブレーキ液の流入を許容し、閉弁状態にあるときに遮断する。入口弁２は、その弁体を駆動させるための図示しない電磁コイルが制御装置１０と電気的に接続されており、制御装置１０からの指令に基づいて、電磁コイルが励磁されると閉弁し、電磁コイルが消磁されると開弁する。チェック弁２ａは、その下流側から上流側へのブレーキ液の流入のみを許容する弁であり、入口弁２と並列に接続されている。
【００３３】
出口弁３は、開放路Ｅに設けられた常閉型の電磁弁であり、閉弁状態にあるときに車輪ブレーキＢＫ側からリザーバ５側へのブレーキ液の流入を遮断し、開弁状態にあるときに許容する。出口弁３は、その弁体を駆動させるための図示しない電磁コイルが制御装置１０と電気的に接続されており、制御装置１０からの指令に基づいて、電磁コイルが励磁されると開弁し、電磁コイルが消磁されると閉弁する。
【００３４】
サクションバルブ４は、マスタシリンダＭＣと減圧兼増圧用のポンプ６とを接続する液路である吸入路Ｃに設けられた常閉型の電磁弁であり、吸入路Ｃを開放する状態と遮断する状態とを切り換えるものである。サクションバルブ４は、その弁体を駆動させるための図示しない電磁コイルが制御装置１０と電気的に接続されており、制御装置１０からの指令に基づいて、電磁コイルが励磁されると開弁し、電磁コイルが消磁されると閉弁する。
【００３５】
リザーバ５は、開放路Ｅに設けられており、車輪ブレーキＢＫのブレーキ液を一時的に貯留する。すなわち、リザーバ５は、出口弁３が開放されることによって逃がされるブレーキ液を一時的に貯留する機能を有している。また、リザーバ５と減圧兼増圧用のポンプ６との間の開放路Ｅには、リザーバ５から減圧兼増圧用のポンプ６側へのブレーキ液の流入を許容する一方向弁であるチェック弁５ａが設けられている。前記したサクションバルブ４の出口は、減圧兼増圧用のポンプ６の吸入側とチェック弁５ａとの間に接続されている。
【００３６】
減圧兼増圧用のポンプ６は、吸入路Ｃと吐出路Ｄとの間に介設されている。減圧兼増圧用のポンプ６の吐出側に接続する液路である吐出路Ｄは、調圧弁１と制御弁手段Ｖとの間の車輪液圧路Ｂに接続されている。減圧兼増圧用のポンプ６は、モータ９の回転力によって駆動され、リザーバ５のブレーキ液をマスタシリンダＭＣ側に戻すことが可能である。すなわち、減圧兼増圧用のポンプ６は、リザーバ５に貯留されたブレーキ液を吸入して、吐出路Ｄに吐出する。また、調圧弁１が閉弁状態で、サクションバルブ４が開弁状態のときには、減圧兼増圧用のポンプ６は、マスタシリンダＭＣ、出力液圧路Ａおよび吸入路Ｃに貯留されているブレーキ液を吸入して、吐出路Ｄに吐出する。これにより、例えば加圧制御を用いたブレーキ制御の一つである連動ブレーキ制御時において、前輪側のブレーキ操作子Ｌを操作していない状態でも、後輪側のブレーキ操作子の操作に連動して、車輪ブレーキＢＫにブレーキ液圧を作用させることが可能となる。
【００３７】
増圧専用のポンプ７は、吸入路Ｆと吐出路Ｇとの間に介設されている。増圧専用のポンプ７は、調圧弁１に対して並列に接続されている。増圧専用のポンプ７の吸入側には、マスタシリンダＭＣに連通する液路である吸入路Ｆが直接接続されている。つまり、マスタシリンダＭＣから増圧専用のポンプ７までの液路には、該液路以外にサクションバルブ等の吸入抵抗となる部材は設けられていない。増圧専用のポンプ７は、モータ９の回転力によって駆動され、マスタシリンダＭＣからのブレーキ液を車輪ブレーキＢＫ側へ吐出することが可能である。すなわち、調圧弁１が閉弁状態のときには、増圧専用のポンプ７は、マスタシリンダＭＣ、出力液圧路Ａおよび吸入路Ｆに貯留されているブレーキ液を吸入して、吐出路Ｇに吐出する。これにより、例えば加圧制御を用いたブレーキ制御の一つである連動ブレーキ制御時において、前輪側のブレーキ操作子Ｌを操作していない状態でも、後輪側のブレーキ操作子の操作に連動して、車輪ブレーキＢＫにブレーキ液圧を作用させることが可能となる。
【００３８】
マスタシリンダＭＣにおけるブレーキ液圧の大きさを計測する液圧センサ８が、マスタシリンダＭＣの出口側（本実施形態では吸入路Ｃ）に設けられている。液圧センサ８で計測されたブレーキ液圧の値は、制御装置１０に随時取り込まれ、液圧センサ８で計測されたブレーキ液圧の大きさに基づいて、加圧制御等が行われる。
【００３９】
減圧兼増圧用のポンプ６および増圧専用のポンプ７として、ここではプランジャポンプが使用されている。プランジャポンプは、図示を省略するが、偏心カム等の駆動部材によってシリンダ穴内のプランジャを軸方向に往復動させることで、吸入口からシリンダ穴内に吸入した液体を吐出口から吐出するポンプである。
【００４０】
増圧専用のポンプ７の吐出量は、減圧兼増圧用のポンプ６の吐出量よりも大きくされている。本実施形態ではプランジャポンプが使用されていることから、増圧専用のポンプ７のプランジャ径が減圧兼増圧用のポンプ６の径よりも大きくなるように設定されている。
【００４１】
減圧兼増圧用のポンプ６と増圧専用のポンプ７とは、共通のモータ９によって駆動される。モータ９は、制御装置１０からの指令に基づいて作動する電動部品である。
【００４２】
制御装置１０は、液圧センサ８、および車輪速センサ（図示せず）からの出力に基づいて、調圧弁１、制御弁手段Ｖの入口弁２および出口弁３、およびサクションバルブ４の開閉、並びに、モータ９の作動を制御する。
【００４３】
次に、制御装置１０によって実現される通常のブレーキ制御、アンチロックブレーキ制御および加圧制御について説明する。
【００４４】
（通常のブレーキ制御）
車輪（図示せず）がロックする可能性のない通常のブレーキ制御時には、前記した複数の電磁弁を駆動させる複数の電磁コイルは、いずれも制御装置１０によって消磁させられる。つまり、通常のブレーキ制御においては、図１に示すように、調圧弁１および入口弁２が開弁状態になっており、出口弁３およびサクションバルブ４が閉弁状態になっている。
【００４５】
このような状態で、運転者がブレーキ操作子Ｌを操作すると、その操作力に起因してマスタシリンダＭＣがブレーキ液圧を発生する。マスタシリンダＭＣで発生したブレーキ液圧は、出力液圧路Ａ、調圧弁１および車輪液圧路Ｂを介してそのまま車輪ブレーキＢＫに伝達され、車輪が制動されることとなる。なお、ブレーキ操作子Ｌを緩めると、車輪液圧路Ｂに流入したブレーキ液が調圧弁１および出力液圧路Ａを介してマスタシリンダＭＣに戻される。
【００４６】
（アンチロックブレーキ制御）
アンチロックブレーキ制御は、車輪がロック状態に陥りそうになったときに実行される。アンチロックブレーキ制御は、制御弁手段Ｖを制御して、車輪ブレーキＢＫに作用するブレーキ液圧を減圧、増圧あるいは一定に保持する状態を適宜選択することによって実現される。なお、減圧、増圧および保持のいずれを選択するかは、図示しない車輪速センサから得られた車輪速度に基づいて、制御装置１０によって判断される。
【００４７】
図２は、アンチロックブレーキ制御時における車両用ブレーキ液圧制御装置Ｕの状態を示すブレーキ液圧回路図であって、車輪ブレーキＢＫに作用するブレーキ液圧を減圧する場合を示す図である。
【００４８】
図２に示すように、制御装置１０が車輪ブレーキＢＫに作用するブレーキ液圧を減圧すべきであると判断した場合には、制御弁手段Ｖにより車輪液圧路Ｂが遮断され、開放路Ｅが開放される。具体的には、制御装置１０は、入口弁２を励磁して閉弁状態にするとともに、出口弁３を励磁して開弁状態にする。ここで、調圧弁１は開弁状態になっており、サクションバルブ４は閉弁状態になっている。また、制御装置１０は、モータ９を駆動させる。このようにすると、車輪ブレーキＢＫに通じる車輪液圧路Ｂのブレーキ液が開放路Ｅを通ってリザーバ５に流入し、その結果、車輪ブレーキＢＫに作用していたブレーキ液圧が減圧される。また、モータ９の駆動に伴って減圧兼増圧用のポンプ６が作動し、リザーバ５のブレーキ液を、図２中のＱ方向にマスタシリンダＭＣ側に戻す。なお、調圧弁１が開弁状態になっているため、増圧専用のポンプ７の吐出側から送出されるブレーキ液は、調圧弁１を経由して増圧専用のポンプ７の吸入側に還流し、図２中のＲ方向にループ状に流れる。
【００４９】
制御装置１０が車輪ブレーキＢＫに作用するブレーキ液圧を一定に保持すべきであると判断した場合には、制御弁手段Ｖにより車輪液圧路Ｂおよび開放路Ｅがそれぞれ遮断される。具体的には、制御装置１０は、入口弁２を励磁して閉弁状態にするとともに、出口弁３を消磁して閉弁状態にする。このようにすると、車輪ブレーキＢＫ、入口弁２および出口弁３で閉じられた液路内にブレーキ液が閉じ込められることになり、その結果、車輪ブレーキＢＫに作用しているブレーキ液圧が一定に保持される。
【００５０】
制御装置１０が車輪ブレーキＢＫに作用するブレーキ液圧を増圧すべきであると判断した場合には、制御弁手段Ｖにより車輪液圧路Ｂが開放され、開放路Ｅが遮断される。具体的には、制御装置１０は、入口弁２を消磁して開弁状態にするとともに、出口弁３を消磁して閉弁状態にする。そして、制御装置１０がモータ９を駆動させると、モータ９の駆動に伴って減圧兼増圧用のポンプ６が作動し、リザーバ５に貯留されていたブレーキ液が吐出路Ｄを介して車輪液圧路Ｂに流入する。
【００５１】
（加圧制御）
図３は、加圧制御時における車両用ブレーキ液圧制御装置Ｕの状態を示すブレーキ液圧回路図であって、車輪ブレーキＢＫに作用するブレーキ液圧を加圧する場合を示す図である。
【００５２】
図３に示すように、ブレーキ系統Ｋにおいて、制御装置１０は、調圧弁１を励磁して閉弁状態にするとともに、サクションバルブ４を励磁して開弁状態にする。ここで、入口弁２は開弁状態になっており、出口弁３は閉弁状態になっている。また、制御装置１０は、モータ９を駆動させる。このようにすると、減圧兼増圧用のポンプ６が作動し、吸入路Ｃ側（マスタシリンダＭＣ側）にあるブレーキ液を、図３中のＳ方向に吐出路Ｄへ吐出させる。また、リザーバ５にブレーキ液がある場合には、リザーバ５からのブレーキ液も吐出路Ｄに送出される。さらに、増圧専用のポンプ７も作動し、吸入路Ｆ側（マスタシリンダＭＣ側）にあるブレーキ液を、図３中のＴ方向に吐出路Ｇへ吐出させる。これにより、例えばマスタシリンダＭＣから液圧が発生していない場合においても、車輪ブレーキＢＫにブレーキ液圧が作用し、車輪が制動される。また、例えばマスタシリンダＭＣから液圧が発生している場合には、マスタシリンダＭＣからの液圧を更に昇圧させて、車輪ブレーキＢＫに増圧したブレーキ液圧が作用し、車輪が制動される。
【００５３】
加圧制御として具体的には、ブレーキ操作子Ｌの操作が無く、マスタシリンダＭＣにて液圧が発生しなくても、車輪ブレーキＢＫにブレーキ液圧を作用させる自動ブレーキ制御、車輪ブレーキＢＫの液圧をマスタシリンダＭＣからの液圧以上に昇圧させるブレーキアシスト制御、前後輪の車輪ブレーキを連動させる連動ブレーキ制御、坂道等で停車時に車輪ブレーキＢＫへブレーキ液圧を作用させて、車両を一時的に保持するブレーキ保持制御（ヒルホールド制御）、転倒抑制制御等のブレーキ制御が挙げられる。
例えば連動ブレーキ制御の場合、前輪側および後輪側の一方のブレーキ操作子が操作されたときに、その操作に基づく制動力の大きさに応じて他方の車輪ブレーキにも制動力を作用させる必要があると判断されたときに実行される。また、連動ブレーキ制御は、前輪側および後輪側の両方のブレーキ操作子が操作されたが他方の操作が不十分である場合にも、同様にして実行される。例えば後輪側のブレーキ操作子が操作されたとき、後輪側のブレーキ操作子の操作量や液圧センサで計測されたブレーキ液圧の大きさ等の各種情報に基づいて、前輪にも制動力を作用させる必要があるか否かが判断される。前輪にも制動力を作用させる必要があると判断された場合には、制御装置１０は、後輪側のブレーキ系統の液圧センサにより計測された圧力値に基づいて、前輪側のブレーキ系統Ｋを制御する。
【００５４】
以上説明した本実施形態では、車両用ブレーキ液圧制御装置Ｕは、調圧弁１に対して並列に接続されており、マスタシリンダＭＣからのブレーキ液を車輪ブレーキＢＫ側へ吐出する増圧専用のポンプ７を備える。そして、増圧専用のポンプ７の吸入側に、マスタシリンダＭＣに連通する液路が直接接続されている。
【００５５】
このような本実施形態によれば、増圧専用のポンプ７は、リザーバ５からブレーキ液を汲み上げる減圧制御時におけるポンプ要求特性（流量は小さくてもよいが圧力差が大きいこと）を考慮する必要がない。したがって、増圧専用のポンプ７は、加圧制御時におけるポンプ要求特性（圧力差は小さくてもよいが流量が大きいこと）を満足するだけでよい。このため、ポンプ駆動用のモータ９を必要以上に大型化せずとも対応することができる。
また、増圧専用のポンプ７の吸入側には、マスタシリンダＭＣに連通する液路が直接接続されていて、専用のサクションバルブが設けられていないので、サクションバルブのオリフィス等による吸入抵抗は生じない。これにより、車輪ブレーキＢＫに作用するブレーキ液圧の昇圧性能が向上する。
【００５６】
また、本実施形態は、リザーバ５のブレーキ液をマスタシリンダＭＣ側に戻すことが可能な減圧兼増圧用のポンプ６を備える。そして、減圧兼増圧用のポンプ６の吐出側に接続する液路が、調圧弁１と制御弁手段Ｖとの間の車輪液圧路Ｂに接続されている。この構成では、増圧専用のポンプ７に加えて、減圧兼増圧用のポンプ６をも加圧制御に活用することができる。これにより、加圧制御時における吐出量の増大を図ることができる。
【００５７】
また、本実施形態では、マスタシリンダＭＣと減圧兼増圧用のポンプ６とを接続する液路に、常閉型のサクションバルブ４が設けられている。そして、減圧兼増圧用のポンプ６とリザーバ５との間の液路には、リザーバ５から減圧兼増圧用のポンプ６へのブレーキ液の流入を許容する一方向弁であるチェック弁５ａが設けられている。ここで、サクションバルブ４の出口は、減圧兼増圧用のポンプ６の吸入側とチェック弁５ａとの間に接続されている。この構成では、加圧制御時にブレーキ操作子Ｌへの入力がある場合でも、チェック弁５ａによってリザーバ５へのマスタシリンダＭＣからのブレーキ液の流入を遮断しつつ、マスタシリンダＭＣおよびリザーバ５から減圧兼増圧用のポンプ６によって車輪ブレーキＢＫ側に供給することが可能となる。
【００５８】
また、本実施形態では、増圧専用のポンプ７の吐出量は、減圧兼増圧用のポンプ６の吐出量よりも大きい。この構成では、増圧専用のポンプ７と減圧兼増圧用のポンプ６の特性を異ならせると、ブレーキ液圧制御に自由度を持たせることができる。具体的には、吸入側にサクションバルブ４が接続された減圧兼増圧用のポンプ６よりも、吸入抵抗が小さい増圧専用のポンプ７の吐出量を大きくすることで、加圧制御時における全体としての吐出量を効率良く確保できる。
なお、増圧専用のポンプ７が接続される液路の径（流路断面積）が、減圧兼増圧用のポンプ６が接続される液路の径（流路断面積）よりも大きく設定されてもよい。これにより、加圧制御時における全体としての吐出量をより増やすことができる。
【００５９】
また、本実施形態では、増圧専用のポンプ７と減圧兼増圧用のポンプ６とが、共通のモータ９によって駆動される。駆動用のモータ９を共通化すると、装置全体をコンパクト化することができる。
なお、減圧制御時には、調圧弁１を開弁することで、増圧専用のポンプ７の吐出側から送出されるブレーキ液は、調圧弁１を経由して増圧専用のポンプ７の吸入側に還流するだけであり、減圧制御に影響しない。
【００６０】
また、本実施形態では、車両用ブレーキ液圧制御装置Ｕは、バーハンドルタイプの車両における前輪側および後輪側のいずれか一方または双方のブレーキ系統に個々に設けられている。この構成では、車両用ブレーキ液圧制御装置Ｕを、バーハンドルタイプの車両の例えば前後輪の車輪ブレーキを連動させる連動ブレーキ制御等における加圧制御に用いることができる。
【００６１】
以上、本発明について、実施形態に基づいて説明したが、本発明は、前記実施形態に記載した構成に限定されるものではなく、その趣旨を逸脱しない範囲において適宜その構成を変更することができるものである。また、前記実施形態の構成の一部について、追加、削除、置換をすることができる。
【００６２】
例えば、前記した実施形態では、車両用ブレーキ液圧制御装置Ｕは、自動二輪車に適用されているが、本発明はこれに限定されるものではない。本発明は、自動二輪車のほか、例えば、自動三輪車、オールテレーンビークル（ＡＴＶ）、自動四輪車等の各種車両に適用可能である。
【００６３】
また、前記したように、加圧制御は、自動ブレーキ制御、ブレーキアシスト制御、連動ブレーキ制御、ブレーキ保持制御（ヒルホールド制御）、転倒抑制制御等の各種ブレーキ制御に用いることが可能である。
【００６４】
また、前記した車両用ブレーキ液圧制御装置Ｕにおいて、減圧兼増圧用のポンプ６や、サクションバルブ４が省略された構成を採ることも可能である。
【符号の説明】
【００６５】
１      調圧弁
２      入口弁
３      出口弁
４      サクションバルブ
５      リザーバ
５ａ    チェック弁（一方向弁）
６      減圧兼増圧用のポンプ
７      増圧専用のポンプ
９      モータ
１０    制御装置
Ａ      出力液圧路（液圧路）
Ｂ      車輪液圧路（液圧路）
Ｃ      吸入路（液路）
Ｄ      吐出路（液路）
Ｅ      開放路（液路）
Ｆ      吸入路（液路）
Ｇ      吐出路
Ｋ      ブレーキ系統
Ｌ      ブレーキ操作子
Ｕ      車両用ブレーキ液圧制御装置
Ｖ      制御弁手段
ＢＫ    車輪ブレーキ
ＭＣ    マスタシリンダ
【図１】
2019011013.tif 000003
【図２】
2019011013.tif 000004
【図３】
2019011013.tif 000005